(57)【要約】      （修正有）【課題】より硬い材質を採用することにより、手提げ袋の両側に直立状に設けられていることが可能なストラップを提供する。【解決手段】手提げ袋に組み付けられており、ロープ１を有し、ロープ１は、芯体１１と、被覆層１２と、を含み、被覆層１２は、芯体１１を被覆し、紙で作製される複数のワイヤを含み、これらのワイヤは互いに交錯するように織られて被覆層１２を形成し、被覆層１２の一部は透かし状を呈し、ロープ１の両端はそれぞれ手提げ袋に設けられている。【選択図】図４
0003193555.tif 000002
【実用新案登録請求の範囲】
【請求項１】
手提げ袋に組み付けられており、ロープを有し、
前記ロープは、芯体と、被覆層と、を含み、前記被覆層は、前記芯体を被覆し、紙で作製される複数のワイヤを含み、これらの前記ワイヤは互いに交錯するように織られて前記被覆層を形成し、前記被覆層の一部は透かし状を呈し、前記ロープの両端はそれぞれ前記手提げ袋に設けられていることを特徴とするストラップ。
【請求項２】
更に、二つのヘッドを含み、前記手提げ袋は二つの固定穴を有し、前記二つのヘッドは、前記ロープの両端にそれぞれ嵌め設けられており、前記ヘッドは、固定部と、係止部と、を有し、前記各ヘッドの前記固定部は、前記芯体の一部の面積と、これらの前記ワイヤの一部の面積と、を覆い、前記ロープの両端が前記二つの固定穴をそれぞれ挿通すると、前記各ヘッドの前記係止部は前記手提げ袋に係止され、これにより、前記ロープは前記手提げ袋から離脱することができないことを特徴とする、請求項１に記載のストラップ。
【請求項３】
前記ロープが前記手提げ袋に組み付けられているときには、前記ヘッドの前記係止部は、前記ロープの半径方向に突出して、前記手提げ袋に係止されることを特徴とする、請求項２に記載のストラップ。
【請求項４】
前記芯体は、クラフト紙を螺旋状に巻付いて構成されるものであることを特徴とする、請求項１に記載のストラップ。
【請求項５】
前記各ワイヤは、紙製のストリップを螺旋状に巻付いて構成されるものであることを特徴とする、請求項１に記載のストラップ。
【請求項６】
これらの前記ワイヤは、色が互いに異なる少なくとも二種類のワイヤを含むことを特徴とする、請求項１に記載のストラップ。
【考案の詳細な説明】
【技術分野】
【０００１】
本考案は、ストラップに関し、特に、手提げ袋に組み付けられているストラップに関するものである。
【背景技術】
【０００２】
買い物するときには、購買するものを収容するために、売店が紙製の手提げ袋を提供する。手提げ袋の両側にストラップが設けられていることが一般的である。このように、手提げ袋を持つことが便利となる。
【０００３】
従来のストラップの材質は、ナイロンを採用することが一般的である。このような材質を採用すると、地球環境に優しくなく、生産コストが高く、そしてナイロンが柔らかいため、ストラップは手提げ袋の両側にぶら下がる。ユーザが手提げ袋を引上げたい場合には、各ストラップを引上げないと、手提げ袋を携帯することができない。そしてナイロン製のストラップは、滑りやすいため、手提げ袋がユーザの手から離脱する可能性がある。
【考案の概要】
【考案が解決しようとする課題】
【０００４】
本考案の主な目的は、より硬い材質を採用することにより、手提げ袋の両側に直立状に設けられていることが可能なストラップを提供することにある。
【課題を解決するための手段】
【０００５】
本考案のストラップによると、手提げ袋に組み付けられており、ロープを有し、
ロープは、芯体と、被覆層と、を含み、被覆層は、芯体を被覆し、紙で作製される複数のワイヤを含み、これらのワイヤは互いに交錯するように織られて被覆層を形成し、被覆層の一部は透かし状を呈し、ロープの両端はそれぞれ手提げ袋に設けられていることを特徴とする。
【０００６】
本考案のストラップによると、更に、二つのヘッドを含み、手提げ袋は二つの固定穴を有し、二つのヘッドは、ロープの両端にそれぞれ嵌め設けられており、ヘッドは、固定部と、係止部と、を有し、各ヘッドの固定部は、芯体の一部の面積と、これらのワイヤの一部の面積と、を覆い、ロープの両端が二つの固定穴をそれぞれ挿通すると、各ヘッドの係止部は手提げ袋に係止され、これにより、ロープは手提げ袋から離脱することができないことを特徴とする。
【０００７】
本考案のストラップによると、ロープが手提げ袋に組み付けられているときには、ヘッドの係止部は、ロープの半径方向に突出して、手提げ袋に係止されることを特徴とする。
【０００８】
本考案のストラップによると、芯体は、クラフト紙を螺旋状に巻付いて構成されるものであることを特徴とする。
【０００９】
本考案のストラップによると、各ワイヤは、紙製のストリップを螺旋状に巻付いて構成されるものであることを特徴とする。
【００１０】
本考案のストラップによると、これらのワイヤは、色が互いに異なる少なくとも二種類のワイヤを含むことを特徴とする。
【考案の効果】
【００１１】
本考案のストラップによれば、次のような効果がある。
（１）これらのワイヤは互いに交錯するように織られて被覆層を形成し、被覆層の一部は透かし状を呈するため、ロープ全体が立体感を有する。このように、ロープが滑り止め効果を有すると共に、弾力性を有する。
【００１２】
（２）これらのワイヤがより硬い紙質を採用するため、ロープが手提げ袋の両側に直立状に設けられている。このように、ユーザは手提げ袋を容易に携帯することが可能である。そしてこれらのワイヤが紙質を採用するため、地球環境に優しい。
【図面の簡単な説明】
【００１３】
【図１】本考案の実施例１のストリップとワイヤを示す斜視図である。
【図２】本考案の実施例１の芯体を示す斜視図である。
【図３】本考案の実施例１のワイヤの織り方を示す図である。
【図４】本考案の実施例１のワイヤの織り方を示す図である。
【図５】本考案の実施例１のロープにヘッドが取り付けられている状態を示す図である。
【図６】本考案の実施例２のロープにヘッドが取り付けられている状態を示す図である。
【図７】本考案の実施例１の使用状態を示す図である。
【考案を実施するための形態】
【００１４】
以下、本考案の実施の形態を図面に基づいて説明する。
図１から図７を参照する。図１は本考案の実施例１のストリップとワイヤを示す斜視図であり、図２は本考案の実施例１の芯体を示す斜視図であり、図３は本考案の実施例１のワイヤの織り方を示す図であり、図４は本考案の実施例１のワイヤの織り方を示す図であり、図５は本考案の実施例１のロープにヘッドが取り付けられている状態を示す図であり、図６は本考案の実施例２のロープにヘッドが取り付けられている状態を示す図であり、図７は本考案の実施例１の使用状態を示す図である。
【００１５】
本実施例のストラップは、手提げ袋４に組み付けられており、ロープ１を有する。ロープ１は、芯体１１と、被覆層１２と、を含む。被覆層１２は芯体１１を被覆する。本実施例では、芯体１１は、図２に示すように、クラフト紙を螺旋状に巻付いて構成されるものである。クラフト紙を採用することにより、地球環境に優しく、そしてクラフト紙の靭性が良いため、芯体１１は断裂しにくい。このような構成により、芯体１１の構造強度が増加する。もちろん、芯体は、例えば樹脂、又は木綿を採用してもよい。
【００１６】
図３及び図４を参照する。被覆層１２は、紙で作製される複数のワイヤ１２１を含む。これらのワイヤ１２１は互いに交錯するように織られて被覆層１２を形成する。被覆層１２の一部は透かし状を呈するため、芯体１１の表面の一部が露出して、ロープ１全体は立体感を有する。このような構成によれば、ロープ１は滑り止め効果を有し、そして被覆層１２と芯体１１の間に圧縮可能な空間を有するため、緩衝効果を有して、ロープ１が弾力性を有する。各ワイヤ１２１は、図１に示すように、紙製のストリップ１２１´を螺旋状に巻付いて構成されるものである。ワイヤ１２１は、紙質を採用し、螺旋状の構成を有するため、構造が堅実となる。そしてこれらのワイヤ１２１は互いに交錯するように織られて被覆層１２を形成するため、被覆層１２の構造強度が増加して断裂しにくく、ロープ１は、硬度がより高いため、変形しにくい。
【００１７】
特に、本実施例のこれらのワイヤ１２１が同じ色を有するため、ロープ１の色は単一である。このように、手提げ袋４の色によって、それに合う色を有するロープ１を採用することが可能である。このように、手提げ袋４全体の色が一致となり、識別しやすい。例えば消費者がある色を有する服装を買う場合に、売店は、服装の色に合うロープ１が設けられている手提げ袋４で当該服装を収容すると、消費者は手提げ袋４に収容される服装の色を識別しやすく、間違った服装を持ち帰ることを回避することが可能である。もちろん、図６に示すように、これらのワイヤは、色が互いに異なる少なくとも二種類のワイヤを含んでもよい。具体的には、これらのワイヤは、第１ワイヤ２２１と、第２ワイヤ２２２と、を有し、第１ワイヤ２２１と第２ワイヤ２２２との色が互いに異なる。第１ワイヤ２２１と第２ワイヤ２２２を交錯に織ることによって被覆層２２を形成すると、被覆層２２が特殊の図案を有し、又はメーカの商標の色に合うことが可能である。このように、ロープ２の変化性が多くなり、第１ワイヤ２２１と第２ワイヤ２２２との色の変化により、ロープ２に識別性を与えることが可能である。もちろん、これらのワイヤは、三種類又は三種類以上の色を有してもよい。
【００１８】
図３から図７を参照する。ロープ１の両端はそれぞれ手提げ袋４に設けられている。本実施例のストラップは、更に、二つのヘッド３を含む。二つのヘッド３は、ロープ１の両端にそれぞれ嵌め設けられている。ヘッド３は、固定部３１と、係止部３２と、を有する。各ヘッド３の固定部３１は、芯体１１の一部の面積と、これらのワイヤ１２１の一部の面積と、を覆う。これにより、ワイヤ１２１は芯体１１から容易に離脱することを防止することが可能である。ロープ１の両端が二つの固定穴４１をそれぞれ挿通すると、各ヘッド３の係止部３２は手提げ袋４に係止される。このように、ロープ１は手提げ袋４から離脱することができない。二つのヘッド３の構成及び組合せ方式が同じであるため、一つのヘッドを例にして説明する。本実施例では、ヘッド３がチューブであり、前記チューブが斜めに切断されて傾斜端面を形成する。ロープ１の両端は、ヘッド３の固定部３１にそれぞれ嵌め設けられている。加圧又は粘着などの方式を採用することにより、ヘッド３の固定部３１とロープ１は互いに離脱することができない。ヘッド３の前記傾斜端面は、高い端と、低い端と、を有する。係止部３２は、前記高い端に形成されており、ロープ１に固定されていない。ロープ１を前記低い端へ屈折すると、前記高い端がロープ１から突出する。このように、ロープ１の一端が手提げ袋４に設けられている固定穴４１を通過すると、ヘッド３の前記高い端（すなわち、係止部３２）は、ロープ１から突出して、手提げ袋４に係止される。これにより、ロープ１は固定穴４１から脱出することができない。また、ヘッド３の材質は、樹脂又は金属を採用する。樹脂の価格がより低いため、本実施例では、ヘッド３にアセテートフィルムを採用する。
【００１９】
図３から図７を参照する。手提げ袋４は、収容空間と、底部と、前記底部から遠ざかった側に位置する開口と、を有し、品物を収容することが可能である。手提げ袋４は、図７に示すように、第１面４２と、第２面と、を有する。第１面４２と前記第２面には、二つの固定穴４１がそれぞれ設けられている。手提げ袋４の第１面４２の二つの固定穴４１の位置は、手提げ袋４の前記第２面の前記固定穴に対応する。手提げ袋４の第１面４２と前記第２面とに、構成が同じなロープ１をそれぞれ挿通する。二つのロープ１の構成が同じであるため、一つのロープ１を例にして説明する。手提げ袋４の第１面４２に設けられている二つの固定穴４１にロープ１の両端をそれぞれ差し込むと、図７に示すように、ヘッド３の係止部３２がロープ１に結合されていないため、手提げ袋４の前記底部から離れるようにロープ１を引くと、ヘッド３の係止部３２がロープ１から突出して手提げ袋４に係止される。このように、ロープ１は固定穴４１から離脱することができない。一方、ロープ１の芯体１１及び被覆層１２が紙質を採用するため、ロープ１の硬さがより高い。このように、手提げ袋４に二つのロープ１を組付けると、図７に示すように、二つのロープ１は直立状を呈し、ユーザは二つのロープ１を容易に引上げることが可能である。もちろん、ロープに前記ヘッドを設けなくてもよい。ロープに前記ヘッドを設けない場合には、ロープの両端を固定穴に差し込んで、結び目を作り、又は何れかの方法で固定する。すなわち、ロープは前記固定穴から離脱することができない限り、何れかの方法を採用してもよい。
【００２０】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２１】
本考案は、ストラップに適用することができる。
【符号の説明】
【００２２】
１、２    ロープ
３    ヘッド
４    手提げ袋
１１    芯体
１２、２２    被覆層
３１    固定部
３２    係止部
４１    固定穴
４２    第１面
１２１    ワイヤ
１２１‘    ストリップ
２２１    第１ワイヤ
２２２    第２ワイヤ
【図１】
0003193555.tif 000003
【図２】
0003193555.tif 000004
【図３】
0003193555.tif 000005
【図４】
0003193555.tif 000006
【図５】
0003193555.tif 000007
【図６】
0003193555.tif 000008
【図７】
0003193555.tif 000009